(57)【要約】      （修正有）【課題】薬剤スプレーの使用者が薬液の噴射対象から少し離れた位置で噴射操作をしても、薬剤を無駄にすることの少ない薬剤スプレー用補助具を提供する。【解決手段】長尺の支持棒１０１と、支持棒の先端部に備えられた殺虫スプレー１の取り付け部１０２と、支持棒の手元側に備えられた操作レバー１０３と、支持棒の長手方向に沿って装備されて、先端側が殺虫スプレーのキャップ１０の操作部に回動金具１３１を介して連結され、手元側が操作レバーに連結されたワイヤコード１０４とを備える。操作レバーを操作し、ワイヤコードのインナワイヤ１０６を引くと回動金具１３１が操作部を回動させて薬液スプレーから薬液が噴出する。【選択図】図４
0003214110.tif 000002
【実用新案登録請求の範囲】
【請求項１】
薬剤を収納し、上端にノズルステムの突設された容器本体と、容器本体の上端部に装着されたキャップを有し、キャップはノズルステムとの接続孔と、薬剤通路を介してノズルステムと連通された噴出口を含む操作部を備え、外力により操作部を回動付勢するとノズルステムが正立状態から傾動し、容器本体の薬剤が噴出口から噴出し、操作部の回動付勢を解放すると、ノズルステムが容器本体に内蔵した復帰手段により正立状態に復帰する薬剤スプレーに用いる補助具であって、
長尺の支持棒と、
支持棒の先端部に備えられた薬剤スプレーの取り付け部と、
支持棒の手元側に備えられた操作レバーと、
支持棒の長手方向に沿って装備されて、先端側が薬剤スプレーのキャップの操作部に回動金具を介して連結され、手元側が操作レバーに連結されたワイヤとを備え、
操作レバーを操作し、ワイヤを引くと回動金具が操作部を回動させて薬剤スプレーから薬剤が噴出するようにしたこと、
を特徴とする薬剤スプレー用補助具。
【請求項２】
操作レバーの操作が解放されたとき、操作レバーを元の位置に戻す復帰バネを付設したこと、
を特徴とする請求項１記載の薬剤スプレー用補助具。
【考案の詳細な説明】
【技術分野】
【０００１】
本考案は薬剤スプレー用補助具に係り、とくに薬剤スプレーを体から離した状態で薬剤を噴射可能とする薬剤スプレー用補助具に関する。
【背景技術】
【０００２】
従来から蜂、毛虫などを駆除するために殺虫スプレーが用いられている。図１（１）の如く殺虫スプレー１は、薬液が充填された容器本体２と、容器本体２の上端部に着脱自在に嵌着されたキャップ１０から成る。容器本体２の上端には正立状態からの傾動により薬液の吐出を行うノズルステム３が突設されている。キャップ１０には後部側で軸支されて鉛直面内で起伏回動する操作部１１が設けられている。操作部１１は後ろ側の略台形状の取り付け部１２、取り付け部１２の前側上端部から前方に延設された噴筒部１３、噴筒部１３の下側に固着されたトリガ部１４を有している。取り付け部１２の前寄りの下部の内部には下方に開口し、上下方向に形成されたノズルステム接続穴１５が設けられており、取り付け部１２の前寄りの内部から噴筒部１３の内部に掛けて、ノズルステム接続穴１５の上端からＬ字状に配設された薬剤通路としての液通路１６が形成されている。ノズルステム接続穴１５にはノズルステム３が嵌脱自在に嵌入されている。噴筒部１３の液通路１６の先端は噴射口１７となっている。
図１（１）の操作部１１はトリガー式であり、図１（２）に示す如く操作部１１の前側下部に設けられたトリガ部１４を指で引くと（矢印Ａ参照）、操作部１１が取り付け部１２の後端の軸部１８を中心に反時計方向へ斜め下向きに回動し（矢印Ｂ参照）、連動してノズルステム３が前側に傾動して容器本体２から薬液がノズルステム３、液通路１６を経て噴射口１７から外部に噴出するようになっている。トリガ部１４から指を離すと、ノズルステム３が容器本体２の上端部に内蔵された復帰バネ（図示せず）に付勢されて鉛直に正立復帰するとともに、操作部１１が時計方向へ前向きに回動復帰する（矢印Ｃ参照）。
【０００３】
図２（１）は従来の他の殺虫スプレーの例であり、殺虫スプレー１Ａは薬液が充填された容器本体２０と容器本体２０の上端部に着脱自在に嵌着されたキャップ３０から成る。容器本体２０の上端には正立状態からの傾動により薬液の吐出を行うノズルステム２１が突設されている。キャップ３０には前側内壁に片持ち状に支持されて鉛直面内で起伏回動する操作部３１が設けられている。操作部３１は前側の下部に取り付け部３２を有し、取り付け部３２の前端がキャップ３０の前部内壁に撓み変形自在に装着されている。取り付け部３２の後端部内には下方に開口し、上下方向に形成されたノズルステム接続穴３３が形成されている。取り付け部３２の後端部の上部には後方へ延設された押圧部３４、上方へ突設された突設部３５、突設部３５から前方へ上下２段に延設された噴筒部３６、３７が設けられている。取り付け部３２の後端部の内部から突設部３５の内部、噴筒部３６、３７の内部に掛けて、ノズルステム接続穴３３の上端から櫛状に配設された薬剤通路としての液通路３８が形成されている。ノズルステム接続穴３３にはノズルステム２１が嵌脱自在に嵌入されている。噴筒部３６、３７の液通路３８の先端は噴射口３９、４０となっている。
図２（１）の操作部３１はトルグ式であり、図２（２）に示す如く操作部３１の押圧部３４を指で下方へ押圧すると（矢印Ｄ参照）、操作部３１が取り付け部３２の前端の可撓支点４２を中心に時計方向へ回動し（矢印Ｅ参照）、連動してノズルステム２１が後側に傾動して容器本体２０から薬液がノズルステム２１、液通路３８を経て噴射口３９、４０から外部に噴出するようになっている。押圧部３４から指を離すと、ノズルステム２１が復帰バネ（図示せず）に付勢されて鉛直に正立復帰するとともに、操作部３１が反時計方向へ回動復帰する（矢印Ｆ参照）。
【０００４】
図３（１）は従来の更に他の殺虫スプレーの例であり、殺虫スプレー１Ｂは、薬液が充填された容器本体５０と容器本体５０の上端部に着脱自在に嵌着されたキャップ６０から成る。容器本体５０の上端には正立状態からの傾動により薬液の吐出を行うノズルステム５１が突設されている。キャップ６０には前部に片持ち状に支持されて鉛直面内で起伏回動する操作部６１が設けられている。操作部６１は前側の下部に板状の取り付け部６２を有し、取り付け部６２がキャップ６０の前部に撓み変形自在に装着されている。取り付け部６２の後端には略箱形の操作部本体６３が設けられている。操作部本体６３の前部下側には下方に開口し、上下方向に形成されたノズルステム接続穴６４が形成されている。操作部本体６３の後端部の上部には押圧部６５が設けられている。操作部本体６３の前部の内部には、ノズルステム接続穴６４の上端から略Ｌ字状に配設された薬剤通路としての液通路６６が形成されている。ノズルステム接続穴６４にはノズルステム５１が嵌脱自在に嵌入されている。液通路６６の先端は噴射口６７となっている。
図３（１）の操作部６１はトルグ式であり、図３（２）に示す如く操作部６１の押圧部６５を指で下方へ押圧すると（矢印Ｇ参照）、取り付け部６２が撓み変形して操作部６１が時計方向へ回動し（矢印Ｈ参照）、連動してノズルステム５１が後側に傾動して容器本体５０から薬液がノズルステム５１、液通路６６を経て噴射口６７から外部に噴出するようになっている。押圧部６５から指を離すと、ノズルステム５１が復帰バネ（図示せず）に付勢されて鉛直に正立復帰するとともに、操作部６１が反時計方向へ回動復帰する（矢印Ｉ参照）。
【０００５】
ところで、これらの殺虫スプレーを用いて軒下の蜂の巣や木の葉に付いた毛虫を駆除する場合、蜂の巣や木のすぐ近くで薬液の噴射操作をすると、蜂に襲われたり、毛虫が体に落ちて来たりしてしまう。このため、蜂の巣や木から少し離れた位置で殺虫スプレーを手に持って薬液の噴射操作をするようにしているが、噴射した薬液の一部しか蜂の巣や毛虫に当たらず、薬液を無駄に消費する欠点があった。
【考案の概要】
【考案が解決しようとする課題】
【０００６】
本考案は上記した従来技術の問題に鑑みなされたもので、薬剤スプレーの使用者が薬剤の噴射対象から少し離れた位置で噴射操作をしても、薬剤を無駄にすることの少ない薬剤スプレー用補助具を提供することを、その目的とする。
【課題を解決するための手段】
【０００７】
請求項１記載の薬剤スプレー用補助具では、
薬剤を収納し、上端にノズルステムの突設された容器本体と、容器本体の上端部に装着されたキャップを有し、キャップはノズルステムとの接続孔と、薬剤通路を介してノズルステムと連通された噴出口を含む操作部を備え、外力により操作部を回動付勢するとノズルステムが正立状態から傾動し、容器本体の薬剤が噴出口から噴出し、操作部の回動付勢を解放すると、ノズルステムが容器本体に内蔵した復帰手段により正立状態に復帰する薬剤スプレーに用いる補助具であって、
長尺の支持棒と、
支持棒の先端部に備えられた薬剤スプレーの取り付け部と、
支持棒の手元側に備えられた操作レバーと、
支持棒の長手方向に沿って装備されて、先端側が薬剤スプレーのキャップの操作部に回動金具を介して連結され、手元側が操作レバーに連結されたワイヤとを備え、
操作レバーを操作し、ワイヤを引くと回動金具が操作部を回動させて薬剤スプレーから薬剤が噴出するようにしたこと、
を特徴としている。
請求項２記載の薬剤スプレー用補助具では、
操作レバーの操作が解放されたとき、操作レバーを元の位置に戻す復帰バネを付設したこと、
を特徴としている。
【考案の効果】
【０００８】
本考案によれば、支持棒の先端部に薬剤スプレーを取り付け、支持棒の手元側の端部に備えた操作レバーと薬剤スプレーの操作部の間をワイヤと回動金具により連結し、操作レバーを操作することで、薬剤スプレーの操作部を回動させて薬剤を噴射させるようにしたので、薬剤スプレーの使用者が薬剤の噴射対象から体を少し離して噴射操作をしても、噴射対象の近くに薬剤スプレーを位置させて薬剤を噴射させることができ、薬剤を無駄にすることが少なくなる。
【図面の簡単な説明】
【０００９】
【図１】図１の（１）は、従来の殺虫スプレーのキャップ周りを示す一部省略及び破断した構成図、（２）は（１）の殺虫スプレーの薬液噴射動作の説明図である。
【図２】図２の（１）は、従来の他の殺虫スプレーのキャップ周りを示す一部省略及び破断した構成図、（２）は（１）の殺虫スプレーの薬液噴射動作の説明図である。
【図３】図３の（１）は、従来の更に他の殺虫スプレーのキャップ周りを示す一部省略及び破断した構成図、（２）は（１）の殺虫スプレーの薬液噴射動作の説明図である。
【図４】本考案の一実施例に係る殺虫スプレー用補助具の外観図である（実施例１）。
【図５】図４中のＶ−Ｖ’線に沿った断面図である。
【図６】図４中のＶＩ−ＶＩ’線に沿った断面図である。
【図７】図４中の殺虫スプレー取り付け部周りの構成を示す一部省略した拡大図である。
【図８】図７中のＶIII −ＶIII ’線に沿った断面図である。
【図９】図４中の操作部周りの構成を示す一部省略した拡大図である。
【図１０】図９中のＸ−Ｘ’線に沿った断面図である。
【図１１】図４中の殺虫スプレー取り付け部周りの変形例を示す説明図である。
【図１２】図４の殺虫スプレー用補助具の変形例を示す説明図である。
【図１３】図１２中のＸIII −ＸIII ’線に沿った断面図である。
【図１４】図４の殺虫スプレー用補助具の他の変形例を示す一部省略した説明図である。
【考案を実施するための最良の形態】
【００１０】
以下、本考案の最良の形態を実施例に基づき説明する。
【実施例１】
【００１１】
図４乃至図１０を参照して本考案の一実施例を説明する。図４は本考案に係る殺虫スプレー用補助具の外観図、図５は図４のＶ−Ｖ’線に沿った断面図、図６は図４のＶＩ−ＶＩ’線に沿った断面図、図７は図４中の殺虫スプレー取り付け部周りの構成を示す一部省略した拡大図、図８は図７のＶIII −ＶIII ’線に沿った断面図、図９は図４中の操作部周りの構成を示す一部省略した拡大図、図１０は図９のＸ−Ｘ’線に沿った断面図である。なお、図１と同一の構成部分には同一の符号が付してある。
図４において、１００は殺虫スプレー用補助具であり、この内、１０１はアルミパイプ製の支持棒、１０２は支持棒１０１の先端側に設けられた殺虫スプレー取り付け部、１０３は支持棒１０１の手元側に設けられた操作レバー、１０４は操作レバー１０３から殺虫スプレー取り付け部１０２まで支持棒１０１に沿って配設されたワイヤコードであり、中空のアウターワイヤ１０５の中にインナーワイヤ１０６が摺動自在に挿通されている。１０７、１０８はワイヤコード１０４を支持棒１０１に固定する固定金具であり、１０７は図５に示す如く、Ｕ字状に形成されており、アウターワイヤ１０５の長手方向の途中の４箇所を支持棒１０１の前側外面に挟み込むようにしてネジ１０９により支持棒１０１に着脱自在に取着されている。手元側の固定金具１０８は図６に示す如く、支持棒１０１に嵌合する円環部１１０と、円環部１１０から前方に数ｃｍ程度立ち上がった嵌着部１１１を備え、嵌着部１１１にワイヤコード１０４の手元側端部が嵌着されるとともに、円環部１１０がネジ１０９により支持棒１０１に着脱自在に取着されている。
【００１２】
殺虫スプレー取り付け部１０２は図７に拡大して示す如く、支持棒１０１の上端部の前側に殺虫スプレー１（図１参照）を着脱自在に装着するためのものであり、上下二段の取り付け金具１２１、１２２を有している。取り付け金具１２１、１２２は、図８に示す如く、大小２つの輪をダルマ形に連接した形状を有し、小さい方の輪状部１２３に支持棒１０１が嵌装されてネジ１２４により着脱自在に取着されている。この際、大きい方の輪状部１２５が支持棒１０１の前側となるように配設されている。大きい方の輪状部１２５に殺虫スプレー１の容器本体２が挿通されて止めネジ１２６により着脱自在に固定されている。この際、殺虫スプレー１はキャップ１０の操作部１１に設けられた噴射口１７（図１参照）が前向きとなるように固定されている。
【００１３】
１２７はワイヤコード１０４を取り付け金具１２１、１２２に固定する固定金具であり、くの字状に形成されており、アウターワイヤ１０５の長手方向の先端と途中を取り付け金具１２１、１２２の前側外面に挟み込むようにしてネジ１２８により取り付け金具１２１、１２２に着脱自在に取着されている。ワイヤコード１０４のインナーワイヤ１０６の先端部はアウタワイヤ１０５の先端より上方に出ており、先端に輪部１３０が設けられている。殺虫スプレー１のキャップ１０の操作部１１に設けられた噴筒部１３とインナーワイヤ１０６の輪部１３０の間に回動金具１３１が介装されている。回動金具１３１は噴筒部１３に着脱自在に嵌着されたコイル部１３２、コイル部１３２の前端から下方へ延設されたフック部１３３を有し、フック部１３３が輪部１３０に着脱自在に嵌装されている。
インナーワイヤ１０６が下方へ移動すると、回動金具１３１のフック部１３３が下方へ引っ張られてコイル部１３２が噴筒部１３を下方へ引き下げ、操作部１１が図７の反時計方向へ回動する（図７の矢印Ｊ、Ｋ参照）。
【００１４】
支持棒１０１の下端部に備えられた操作レバー１０３は図９、１０に示す如く、ピン１３４により支持棒１０１に回動自在に軸支されている。操作レバー１０３はピン１３４の下側に握り部１３５、上側にインナワイヤ係止部１３６を有し、ワイヤコード１０４のアウタワイヤ１０５の下端から外へ露出して下方へ延びたインナワイヤ１０６の下端に固着されたストッパ１０７がインナワイヤ係止部１３６に係止されている。握り部１３５を握り、操作レバー１０３を図９の反時計方向へ回動させる操作をすると、インナワイヤ係止部１３６がインナワイヤ１０６を下方へ引っ張るようになっている（図９の矢印Ｎ、Ｏ参照）。
【００１５】
支持棒１０１の上下端にはゴムまたはプラスチックで形成された半球状のキャップ２００、２０１が着脱自在に嵌着されている。また、支持棒１０１の上端部の後側には、殺虫スプレー用補助具１００を木の枝やロープ、桟等に掛けるためのフック２０２がネジ２０３により固定されている。
殺虫スプレー１のキャップ１０の周りは図１と同様に構成されている。
【００１６】
次に上記した実施例の作用を説明する。
なお、殺虫スプレー用補助具１００の殺虫スプレー１の操作部１１はノズルステム３が正立する位置に復帰しているものとする（図１（１）参照）。
例えば、軒下の蜂の巣に殺虫剤を噴射して退治したい場合、殺虫スプレー用補助具１００の下部を手に持ち、上端部の殺虫スプレー１を蜂の巣に近づけてキャップ１０の操作部１１の噴射口１７を蜂の巣に向けた状態で、手で操作レバー１０３の握り部１３を握る（図９の矢印Ｎ参照）。すると、ワイヤコード１０４のインナワイヤ１０６の下端のストッパ１０７が下方へ引っ張られて（図９の矢印Ｏ参照）、インナワイヤ１０６の上端の輪部１３０が回動金具１３１を介して噴筒部１３を下方へ引き下げ（図７の矢印Ｊ参照）、操作部１１を軸部（図１の符号１８参照）を中心に反時計方向へ回動させる（図７の矢印Ｋ参照）。
これにより、ノズルステム３が正立状態から傾動し、噴射口１７から薬液が蜂の巣に向けて噴出する（図１（２）の矢印Ｂ参照）。この際、噴出口１７と薬液の噴射対象である蜂の巣が間近なので、薬液を無駄に消費しなくて済む。また、ユーザはほぼ支持棒１０１の長さ分だけ蜂の巣から離れているので、蜂に刺される恐れも少ない。
【００１７】
ユーザが握り部１３５を離すと、ノズルステム３が復帰バネ（図示せず）に付勢されて鉛直に正立復帰するとともに操作部１１が時計方向へ回動復帰するので（図１（１）の矢印Ｃ、図７の矢印Ｌ参照）、回動金具１３１のフック部１３３に引き上げられてインナワイヤ１０６も元の位置に復帰し（図７の矢印Ｍ、図９の矢印Ｐ参照）、ストッパ１０７によりインナワイヤ係止部１３６が引き上げられて、操作レバー１０３も元の状態に戻る（図９の矢印Ｑ参照）。
なお、薬液の噴射対象は蜂の巣のほか、木の葉等に付いた毛虫、蛾など、他の害虫であっても良い。
【００１８】
この実施例によれば、支持棒１０１の先端部に殺虫スプレー１を取り付け、支持棒１０１の手元側の端部に備えた操作レバー１０３と殺虫スプレー１の操作部１１の間をワイヤコード１０４と回動金具１３１により連結し、操作レバー１０３を操作することで、殺虫スプレー１の操作部１１を回動させて薬液を噴射させるようにしたので、殺虫スプレー１の使用者が薬液の噴射対象から体を少し離して噴射操作をしても、噴射対象の近くに殺虫スプレー１を位置させて薬液を噴射させることができ、薬液を無駄にすることが少なくなる。
【００１９】
なお、上記した実施例では操作レバー１０３を握って手元側に引っ張ったインナワイヤ１０６は、操作レバー１０３が解放されたあと、殺虫スプレー１のノズルステム３が復帰バネ（図示せず）に付勢されて正立状態に復帰する力を受けて、回動金具１３１がフック部１３３によりインナワイヤ１０６の輪部１３０を引き上げることで上方に引き上げられて、下端のストッパ１０７がインナワイヤ係止部１３６を引き上げ、操作部１１を元の位置に回動復帰するようにしたが、図１１に示す如く、取り付け金具１０８とイナンワイヤ係止部１３６の間に復帰バネ１４０を配設しておき、握り部１３５が握られると復帰バネ１４０が引っ張り状態となり、握り部１３５を解放すると復帰バネ１４０が元の長さに縮むことで、インナワイヤ１０６が元の位置に戻り易くしても良い。
【００２０】
また、上記した実施例では、図１のタイプの殺虫スプレーを取り付け対象とする場合を例に挙げて説明したが、本考案は何らこれに限定されず、図２、図３のタイプの殺虫スプレーを取り付け対象としても良い。
図２の殺虫スプレー１Ａを対象とする場合、図４を図１２の殺虫スプレー用補助具１００Ａの如く変形すれば良い。図１２では支持棒１０１Ａの上端部に上下二段の取り付け金具１２１Ａ、１２２Ａがネジ１２４により取着されている。取り付け金具１２１Ａ、１２２Ａは図１２に示す如く、支持棒１０１Ａを着脱自在に挿通可能な小さい輪状部１２３Ａと、殺虫スプレー１Ａの容器本体２０を着脱自在に挿通可能な大きい輪状部１２５Ａを有し、大きい輪状部１２５Ａに止めネジ１２６により容器本体２０が着脱自在に固定されている。この際、殺虫スプレー１Ａはキャップ３０の操作部３１に設けられた噴出口３９、４０が前向きとなるように固定されている。
【００２１】
操作部１０３（図４参照）から上方に延設されたワイヤコード１０４は支持棒１０１Ａの前側に沿って取り付け金具１２１Ａ、１２２Ａの小さい輪状部１２３Ａと大きい輪状部１２５Ａの間を挿通されており、上端部が支持棒１０１Ａの上端と取り付け金具１２２Ａの下側に固定金具１０７により固定されている。ワイヤコード１０４から上方に延びたインナワイヤ１０６とキャップ３０の操作部３１の間に回動金具１３１Ａが連結されている。回動金具１３１Ａは針金部材を曲げて形成されており、前後に延びた棒状部１５０の前端に嵌合環部１５１、後端にノコギリ歯状に折り曲げられた係止部１５２が形成されている。嵌合環部１５１は操作部３１の上下二段の噴筒部３６、３７の内、上側の噴筒部３６の基部まで嵌脱自在に挿入されており、係止部１５２の側がキャップ３０から後方斜め下へ突出している。係止部１５２にワイヤコード１０４から上方へ延びたインナワイヤ１０６の上端の輪部１３０が係脱自在に係止されている。図１２のその他の構成部分は図４と同様に構成されている。
【００２２】
手で操作レバー１０３の握り部１３５を握ると（図９の矢印Ｎ参照）、ワイヤコード１０４のインナワイヤ１０６の下端のストッパ１０７が下方へ引っ張られて（図９の矢印Ｏ）、インナワイヤ１０６の上端の輪部１３０が回動金具１３１Ａを介して操作部３１を可撓支点４２（図２参照）を中心に時計方向へ回動させる（図１２の矢印Ｒ、Ｓ参照）。
これにより、ノズルステム２１が正立状態から傾動し、噴射口３９、４０から薬液が噴出する（図２（２）の矢印Ｅ参照）。
【００２３】
ユーザが握り部１３５を離すと、ノズルステム２１が復帰バネ（図示せず）に付勢されて鉛直に正立復帰するとともに操作部３１が反時計方向へ回動復帰するので（図２（２）の矢印Ｆ、図１２の矢印Ｔ参照）、回動金具１３１Ａの係止部１５２に引き上げられてインナワイヤ１０６も元の位置に復帰し（図１２の矢印Ｕ参照）、操作レバー１０３も元の状態に戻る（図９の矢印Ｑ参照）。
【００２４】
図３の殺虫スプレー１Ｂを対象とする場合、図１２を図１４の殺虫スプレー用補助具１００Ｂの如く変形すれば良い。図１４では取り付け金具１２１Ａ、１２２Ａの大きい輪状部１２５Ａに止めネジ１２６により殺虫スプレー１Ｂの容器本体５０が着脱自在に固定されている。この際、殺虫スプレー１Ｂはキャップ６０の操作部６１に設けられた噴出口６７が前向きとなるように固定されている。
【００２５】
ワイヤコード１０４から上方に延びたインナワイヤ１０６とキャップ６０の操作部６１の間に回動金具１３１Ｂが連結されている。回動金具１３１Ｂは針金部材を曲げて形成されており、前後に延びた略への字状の棒状部１６０の前端に係合鉤部１６１、後端にノコギリ歯状に折り曲げられた係止部１６２が形成されている。係合鉤部１６１は操作部６１の噴出口６７の内部に係脱自在に係合されており、係止部１６２の側がキャップ６０から後方斜め下へ突出している。係止部１６２にワイヤコード１０４から上方へ延びたインナワイヤ１０６の上端の輪部１３０が嵌脱自在に係止されている。図１４のその他の構成部分は図１２と同様に構成されている。
【００２６】
手で操作レバー１０３の握り部１３５を握ると（図９の矢印Ｎ参照）、ワイヤコード１０４のインナワイヤ１０６の下端のストッパ１０７が下方へ引っ張られて（図９の矢印Ｏ）、インナワイヤ１０６の上端の輪部１３０が回動金具１３１Ｂを介して操作部６１を時計方向へ回動させる（図１４の矢印Ｒ’、Ｓ’参照）。
これにより、ノズルステム５１が正立状態から傾動し、噴射口６７から薬液が噴出する（図３（２）の矢印Ｈ参照）。
【００２７】
ユーザが握り部１３５を離すと、ノズルステム５１が復帰バネ（図示せず）に付勢されて鉛直に正立復帰するとともに操作部６１が反時計方向へ回動復帰するので（図３（２）の矢印Ｉ、図１４の矢印Ｔ’参照）、回動金具１３１Ｂの係止部１６２に引き上げられてインナワイヤ１０６も元の位置に復帰し（図１４の矢印Ｕ’参照）、操作レバー１０３も元の状態に戻る（図９の矢印Ｑ参照）。
【００２８】
また、上記した実施例では支持棒はアルミ製としたが、プラスチック製や木材製などしても良い。
また、殺虫スプレーを農薬スプレーなど、他の薬剤を噴出する種々の薬剤スプレーに置き換えても良い。
【産業上の利用可能性】
【００２９】
本考案は、液状、ミスト状、粉末状などの殺虫剤や農薬等、種々の薬剤を噴出する薬剤スプレーに適用可能である。
【符号の説明】
【００３０】
１  殺虫スプレー
２  容器本体
３  ノズルステム
１０  キャップ
１１  操作部
１３  噴筒部
１７  噴出口
１８  軸部
１００  殺虫スプレー用補助具
１０１  支持棒
１０２  殺虫スプレー取り付け部
１０３  操作レバー
１０４  ワイヤコード
１０５  アウタワイヤ
１０６  インナワイヤ
１３１  回動金具
【図１】
0003214110.tif 000003
【図２】
0003214110.tif 000004
【図３】
0003214110.tif 000005
【図４】
0003214110.tif 000006
【図５】
0003214110.tif 000007
【図６】
0003214110.tif 000008
【図７】
0003214110.tif 000009
【図８】
0003214110.tif 000010
【図９】
0003214110.tif 000011
【図１０】
0003214110.tif 000012
【図１１】
0003214110.tif 000013
【図１２】
0003214110.tif 000014
【図１３】
0003214110.tif 000015
【図１４】
0003214110.tif 000016